(57)【要約】【課題】長時間装着した場合でも装着部位からずれにくく、患部に温熱効果を十分に付与できる温熱具を提供する。【解決手段】温熱具１は、伸縮性を有し、軸方向の両端が開口している円筒状のホルダー２と、伸縮性を有し、人体に巻き付けられることによりホルダー２を人体に固定する少なくとも１つのバンド３とを備える。ホルダー２は、発熱材を収納可能な収納部４を少なくとも１つ備える。バンド３は、ホルダー２の収納部４とは軸方向にずれた位置に取り付けられている。【選択図】図５
2016123572.tif 000002
【特許請求の範囲】
【請求項１】
伸縮性を有し、軸方向の両端が開口している円筒状のホルダーと、
伸縮性を有し、人体に巻き付けられることにより前記ホルダーを人体に固定する少なくとも１つのバンドと、を備え、
前記ホルダーは、発熱材を収納可能な収納部を少なくとも１つ備え、
前記バンドは、前記ホルダーの前記収納部とは前記軸方向にずれた位置に巻き付けられる温熱具。
【請求項２】
複数の前記バンドが前記ホルダーに取り付けられている請求項１に記載の温熱具。
【請求項３】
前記バンドは、前記ホルダーに前記軸方向と直交する方向に延びるように取り付けられ、複数の前記バンドが前記軸方向に間隔をあけて平行に延びている請求項２に記載の温熱具。
【請求項４】
２つの前記バンドが、その間に膝又は肘が位置し、かつ、一方の前記バンドが大腿又は上腕の下部に他方の前記バンドが下腿又は前腕の上部にそれぞれ巻き付けられるよう前記ホルダーに取り付けられた、膝又は肘に装着される請求項３に記載の温熱具。
【請求項５】
前記バンドの伸縮性は、前記バンドを構成しかつ幅２０ｍｍ及び長さ７０ｍｍとされた布地を長さ方向に荷重を加えながら伸長させ、実質的に伸長する部分の長さが２倍になったときに加えられている荷重が０．５Ｎ以上２０Ｎ以下である請求項１〜４のいずれかに記載の温熱具。
【発明の詳細な説明】
【技術分野】
【０００１】
本発明は、肘や膝などに装着され、患部の温熱治療に用いられる温熱具に関する。
【背景技術】
【０００２】
従来より、治療又はリハビリ用の器具として、発熱材を収納する収納部を備え、発熱材が肘、膝などの患部に当たるように人体に装着される温熱具が提案されている。
【０００３】
例えば特許文献１には、温熱具として、伸縮性の材料で作製され、化学カイロを収納可能なポケットを備えた円筒状のサポーターが開示されている。サポーターを例えば肘や膝などに装着し、化学カイロが空気との接触により発熱することで、患部に温熱効果を与える。また、特許文献１の温熱具は、その一部分に、温熱具の人体への固定を容易にするための締付け領域が設けられている。
【先行技術文献】
【特許文献】
【０００４】
【特許文献１】特開２００７−１４７９２号公報
【発明の概要】
【発明が解決しようとする課題】
【０００５】
しかしながら、特許文献１の温熱具を長時間装着した場合、締付け領域による人体への固定では、装着者の体格や装着部位の動き、あるいは、物との接触などによって、温熱具が当初の装着位置からずれることがある。この場合には、治療又はリハビリを目的とする患部に十分な温熱効果を付与できないおそれがあることから、特許文献１の温熱具は改良が望まれていた。
【０００６】
本発明は、上記した課題に着目してなされたもので、長時間装着した場合でも装着部位からずれにくく、患部に温熱効果を十分に付与できる温熱具を提供することを目的とする。
【課題を解決するための手段】
【０００７】
本発明の上記目的は、伸縮性を有し、軸方向の両端が開口している円筒状のホルダーと、伸縮性を有し、人体に巻き付けられることにより前記ホルダーを人体に固定する少なくとも１つのバンドと、を備え、前記ホルダーは、発熱材を収納可能な収納部を少なくとも１つ備え、前記バンドは、前記ホルダーの前記収納部とは前記軸方向にずれた位置に巻き付けられる温熱具により達成される。
【０００８】
上記構成の温熱具の好ましい実施態様においては、複数の前記バンドが前記ホルダーに取り付けられていることを特徴としている。
【０００９】
上記構成の温熱具のさらに好ましい実施態様においては、前記バンドは、前記ホルダーに前記軸方向と直交する方向に延びるように取り付けられ、複数の前記バンドが前記軸方向に間隔をあけて平行に延びていることを特徴としている。
【００１０】
上記構成の温熱具のさらに好ましい実施態様においては、２つの前記バンドが、その間に膝又は肘が位置し、かつ、一方の前記バンドが大腿又は上腕の下部に他方の前記バンドが下腿又は前腕の上部にそれぞれ巻き付けられるよう前記ホルダーに取り付けられることを特徴としている。
【００１１】
上記構成の温熱具のさらに好ましい実施態様においては、前記バンドの伸縮性は、前記バンドを構成しかつ幅２０ｍｍ及び長さ７０ｍｍとされた布地を長さ方向に荷重を加えながら伸長させ、実質的に伸長する部分の長さが２倍になったときに加えられている荷重が０．５Ｎ以上２０Ｎ以下であることを特徴としている。
【発明の効果】
【００１２】
本発明の温熱具によれば、バンドによりホルダーが人体の装着部位に固定されているので、装着部位からずれにくい。よって、長時間装着しても、装着者の体格や装着部位の動き、あるいは物との接触などにより、温熱具が当初の装着部位からずれることが抑制されるので、装着時の装着感がよく、かつ、患部に温熱効果を長時間安定して与えることができる。また、バンドが、ホルダーの収納部とは軸方向にずれた位置に取り付けられているので、バンドを装着部位に巻き付けた際に、バンドにより収納部内の発熱材が患部に対して強く押さえ付けられることがない。よって、発熱材により患部に低温火傷が生ずるのを防止することができるので、装着者は安心して温熱具を装着することができる。
【図面の簡単な説明】
【００１３】
【図１】本発明の一実施形態の温熱具の正面図である。
【図２】本発明の一実施形態の温熱具の背面図である。
【図３】本発明の一実施形態の温熱具のバンドを閉じた状態の正面図である。
【図４】本発明の一実施形態の温熱具のバンドを閉じた状態の背面図である。
【図５】本発明の一実施形態の温熱具を膝に装着した状態を示す斜視図である。
【図６】伸縮性の測定方法を示す説明図である。
【図７】本発明の他の実施形態の温熱具の正面図である。
【図８】本発明の他の実施形態の温熱具の背面図である。
【図９】本発明の他の実施形態の温熱具の正面図である。
【図１０】本発明の他の実施形態の温熱具の背面図である。
【発明を実施するための形態】
【００１４】
以下、本発明に係る温熱具の実施形態について図面を参照しつつ説明する。本発明の温熱具は、発熱材を患部に接触させることにより、患部に温熱効果を与えるものである。なお、「温熱効果」とは、発熱することにより患部を温めることを言う。温熱効果により、例えば、患部の血液循環を改善したり、患部の組織の老廃物を除去するとともに患部の修復を促進させたりすることができる。
【００１５】
図１〜図４は、本実施形態の温熱具１の外観を示し、図５は、本実施形態の温熱具１を人体の膝に装着した状態を示す。温熱具１は、軸方向（径方向と直交する方向）の両端が開口している円筒状のホルダー２と、人体に巻き付けられることによりホルダー２を人体に固定する少なくとも１つのバンド３とを備えている。
【００１６】
ホルダー２は、伸縮性を有しており、装着部位である膝や肘などの曲げ伸ばしに追随して変形できるようになっている。ホルダー２は、例えば、合成繊維、天然繊維、あるいは合成繊維及び天然繊維を混合した混合繊維からなる編布、織布、不織布などの布地で形成されている。繊維の素材としては、特に限定されないが、例えば、ポリウレタンやポリエステル、ナイロンなどを例示することができる。なお、ホルダー２の寸法は、装着部位や装着者の体格に応じて各種のサイズに形成でき、例えば肘用や膝用の場合には、膝や肘などの関節部さらには関節部の上下の部位（例えば、肘用の場合は腕の上腕及び前腕の一部、膝用の場合は足の大腿及び下腿の一部）を覆うことができる大きさに形成される。
【００１７】
ホルダー２は、例えば化学カイロ（使い捨てカイロ）など、空気と接触することにより発熱する発熱材（図示せず）を出し入れ可能に収納できる収納部４を少なくとも１つ備えている。収納部４は、一般的な発熱材の形状に合わせて正面視矩形状に形成されている。収納部４は、本実施形態では、ホルダー２とは別途作製された正面視矩形状のポケットからなり、ポケットがホルダー２の外周面に縫い付けられている。ポケットの上部開口から発熱材の出し入れが可能である。なお、ポケットをホルダー２の外周面に、接着剤や超音波溶着で貼り付けたり、面ファスナーなどで着脱自在に取り付けてもよい。
【００１８】
収納部４は、本実施形態では、ホルダー２の外周面に２つ設けられており、１つの収納部４がホルダー２の軸方向の一方の端部（上端部）に設けられ、もう１つの収納部４がホルダー４の軸方向の他方の端部（下端部）に設けられている。また、２つの収納部４は、ホルダー２の外周面において、周方向に等間隔に配置されており、１８０°位置ずれしている。例えば膝用の場合、効果的に温熱効果を与える点から、上端部は膝の前面、下端部は膝の背面に配置される。なお、収納部４の数は２つに限定されるものではなく、治療する部位や範囲に応じて、例えば１つ〜６つ、好ましくは２つ〜４つ設けてもよい。また、収納部４の配置も特に限定されず、後述するように、ホルダー２の軸方向においてバンド３と位置ずれしていればよい。ただし、収納部４を肘や膝などの関節部が当たる箇所に配置すると、関節部を曲げたときに圧迫感があるので、収納部４は関節部の動きを妨げない箇所（例えば肘用の場合は腕の上腕の下部や前腕の上部、膝用の場合は足の大腿の下部や下腿の上部）に配置することが好ましく、本実施形態の２つの収納部４は、関節部の動きを妨げない箇所に配置されている。
【００１９】
バンド３は、幅方向よりも長さ方向の長さが長い帯状のものであり、長さ方向に伸縮性を有している。バンド３が伸縮性を有していることで、装着者の体格（装着部位の太さ）や装着部位の動きに対してバンド３を追随して変形させることができる。バンド３は、例えば、ラテックスなどの天然ゴム、クロロプレンゴム、イソプレンゴム、ニトリルゴム、ブタジエンゴム、スチレン・ブタジエンゴム、ウレタンゴム、シリコンゴムなどの合成ゴム、又は合成繊維や天然繊維、あるいは合成繊維及び天然繊維を混合した混合繊維からなる編布、織布、不織布などの布地で形成されている。繊維の素材としては、特に限定されないが、例えば、ポリウレタンやポリエステル、ナイロンなどを例示することができる。バンド３は、本実施形態では、ホルダー２の外周面に縫い付けられているが、接着剤や超音波溶着、スナップボタンなどにより取り付けられていてもよい。
【００２０】
バンド３の一方面の一端部には、雄型面ファスナー５が固定されており、バンド３の他方面の他端部には、所定の長さにわたり雌型面ファスナー６が固定されている。バンド３を人体の装着部位に巻き付けて雄型面ファスナー５を雌型面ファスナー６に係止することで、バンド３によりホルダー２が人体の装着部位に固定される。
【００２１】
本実施形態では、互いに平行に延びる２つのバンド３がホルダー２の外周面に取り付けられている。２つのバンド３は、ホルダー２の軸方向と直交する方向に延びており、かつ、ホルダー２の軸方向に間隔をあけるようにして、ホルダー２の外周面に取り付けられている。この２つのバンド３は、温熱具１を例えば人体の膝に装着した際には、図５に示すように、２つのバンド３の間の隙間の部分に膝が位置するとともに、一方（上方）のバンド３が大腿の下部（大腿の膝との隣接部）に他方のバンド３が下腿の上部（下腿の膝との隣接部）にそれぞれ巻き付けられるように、両者の間隔が設定されている。なお、温熱具１を人体の肘に装着した際には、図示は省略するが、２つのバンド３の間の隙間の部分に肘が位置し、一方（上方）のバンド３が上腕の下部（上腕の肘との隣接部）に他方のバンド３が前腕の上部（前腕の肘との隣接部）にそれぞれ巻き付けられるように、２つのバンド３の間隔が設定される。
【００２２】
加えて、バンド３は、ホルダー２の外周面において、収納部４とは軸方向にずれた位置に巻き付けられる。本実施形態では、一方（上方）のバンド３が、ホルダー２の軸方向の一方の端部（上端部）に設けられた収納部４よりも下方にずれて位置し、他方（下方）のバンド３が、ホルダー２の軸方向の他方の端部（下端部）に設けられた収納部４よりも上方にずれて位置している。バンド３を人体に巻き付けた際に、バンド３により収納部４内の発熱材が患部に対して強く押さえ付けられると、発熱材により患部が圧迫されるうえ、発熱材が強く患部に押し付けられるために患部が過度に加温されて低温火傷が生じるおそれがある。しかし、本実施形態では、バンド３により収納部４内の発熱材が患部に対して強く押さえ付けられることが防止されているので、患部に低温火傷が生ずるのを防止することができる。
【００２３】
さらに、ホルダー２自体も、余り強く装着部位を締め付けると、血流を止めて鬱血を生じさせるおそれがあり、鬱血が生じると、患部に熱が滞留して低温火傷が生じるおそれがある。一方、ホルダー２による締め付けが弱いと、ホルダー２の装着部位への追従性が失われ、発熱材が患部にフィットせずに発熱材を患部に位置させることが難しくなる。よって、ホルダー２は適度な伸縮性を有している必要がある。
【００２４】
この伸縮性の測定方法としては、次の方法を示すことができる。まず、ホルダー２を構成する布地を幅２０ｍｍ、長さ７０ｍｍにカットした試料を垂直に配置し、図６に示すように、その上端部及び下端部から長さ方向で１０ｍｍにわたる部分を冶具１０で挟んで固定する。なお、試料は、ホルダー２から採取したもの、あるいは、ホルダー２を形成する布地と同質の布地から採取したもののいずれであってもよい。そして、試料を例えばオートグラフＡＧＳ−Ｊ（島津製作所社製）などの引っ張り試験機で次第に荷重を加えながら引っ張り、これにより試料の冶具１０で挟まれていない部分（実質的に引っ張られて伸長する部分）Ｌの長さが２倍になった時点で加えられている荷重（張力）を測定する。その結果として、測定された張力が、０．５Ｎ以上２０Ｎ以下となる布地を使用することが好ましく、１．０Ｎ以上１０Ｎ以下となる布地を使用することがさらに好ましい。
【００２５】
上記構成の温熱具１を用いて例えば人体の膝を保温するには、図５に示すように、ホルダー２の上方の開口から足を挿入し、下方の開口から足を出して、２つのバンド３の間に膝が位置するようにホルダー２を足に装着する。そして、一方（上方）のバンド３を大腿の裏側から大腿の下部に巻き付けるとともに、他方（下方）のバンド３を下腿の裏側から下腿の上部に巻き付け、表側（ホルダー２の正面側）において、バンド３の雄型面ファスナー５を雌型面ファスナー６に係止させる。これにより、ホルダー２が足に固定され、発熱材が患部にずれることなくフィットした状態で保持される。その結果、発熱材から発せられる熱により患部に温熱が与えられ、この温熱によって、通常、患部が３４℃〜４２℃程度に温められることで、患部の血液循環を改善したりすることができる。
【００２６】
上記構成の温熱具１によると、バンド３によりホルダー２が人体の装着部位に固定されているので、装着部位からずれにくい。よって、長時間装着しても、装着者の体格（装着部位の太さ）や装着部位の動き、あるいは物との接触などにより、温熱具１が当初の装着部位からずれることが抑制されるので、患部に温熱効果を長時間安定して与えることができる。
【００２７】
また、２つのバンド３で膝や肘などの関節部を挟み、２つのバンドにより関節部を上下から固定しているので、関節部のぐらつきを抑制するサポーターとしての機能も果たす。よって、関節部の動きを安定させて負担を軽減することができるので、温熱効果に加えて、関節部の痛みなどを和らげることができる。
【００２８】
また、バンド３が、ホルダー２の外周面において、収納部４とは軸方向にずれた位置に取り付けられているので、バンド３を装着部位に巻き付けた際に、バンド３により収納部４内の発熱材が患部に対して強く押さえ付けられることがない。よって、発熱材により患部に低温火傷が生ずるのを防止することができるので、装着者は安心して温熱具１を使用することができる。
【００２９】
また、ホルダー２が適度な伸縮性を有していることで、ホルダー２が装着部位の動きなどに追従して変形する結果、発熱材を患部にフィットさせることができるうえ、装着部位がホルダー２により圧迫されて、発熱材からの熱により装着部位が低温火傷したりすることを防止できる。よって、使用者は安心して温熱具１を使用することができる。
【００３０】
以上、本発明の実施形態について説明したが、本発明は上記実施形態に限定されるものではなく、本発明の趣旨を逸脱しない限りにおいて種々の変更が可能である。例えば、上記実施形態では、収納部４は個別のポケットをホルダー２の外周面に取り付けることで構成されているが、ポケットをホルダー２の内周面に取り付けることで構成してもよい。また、ホルダー２を、内側布と外側布とを２枚重ねるとともに、前記内側布及び前記外側布の上端及び下端の開放部を閉じた袋状の構造として、前記内側布と前記外側布の間に、発熱材を収納可能な収納部を備えるようにし、ホルダーの前記外側布に収納部に通ずる開口部を形成するように構成してもよい。
【００３１】
また、上記実施形態では、バンド３を長さの長い１つの帯状体により構成し、１つのバンド３の両端に、それぞれ雄型面ファスナー５及び雌型面ファスナー６を設けているが、図７及び図８に示すように、この１つの帯状体よりなるバンド３を２つのバンド３Ａ，３Ｂに分割し、一方のバンド３Ａに雄型面ファスナー５を、他方のバンド３Ｂに雌型面ファスナー６を、それぞれ設けるように構成してもよい。
【００３２】
また、上記実施形態では、バンド３は、ホルダー２の軸方向と直交する方向に真っ直ぐ延びていて、２つのバンド３がホルダー２の軸方向に間隔をあけて平行となっているが、図９及び図１０に示すように、２つのバンド３は、ホルダー２の軸方向と直交する方向に真っ直ぐ間隔をあけて平行に延びていなくてもよい。図９及び図１０の実施形態では、２つのバンド３は、ホルダー２の背面側において中央部３０同士が隣接し、両側部３１同士はホルダー２の軸方向と直交する方向に真っ直ぐ間隔をあけて平行に延びるように、折れ曲がっている。つまりは、２つのバンド３は、中央部３０においてクロスするような形状に形成されている。また、図９及び図１０の実施形態の温熱具１では、収納部４はホルダー２の内周面に設けられている。この図９及び図１０の実施形態の温熱具１においても、２つのバンド３の両側部３１同士の間に膝や肘などの関節部が位置するようにホルダー２を装着部位に装着することができるので、図１及び図２の実施形態の温熱具１と同様の効果を奏する。
【実施例】
【００３３】
以下、実施例及び比較例に基づいて、本発明をさらに詳細に説明する。但し、本発明は以下の実施例に限定されるものではない。
【００３４】
まず、実施例１として、図１及び図２の実施形態のように、２つのバンドがホルダーの軸方向と直交する方向に真っ直ぐ間隔をあけて平行に延びている温熱具について、１０人の被験者に膝に装着してもらい、これを６時間装着した際のバンドやホルダーのずれに関する装着性（使用感）について１〜５の５段階評価による官能試験を行った。また、実施例２として、図９及び図１０の実施形態のように、２つのバンドが中央部においてクロスしている温熱具について、実施例１と同様に、１０人の被験者に膝に装着してもらい、これを６時間装着した際のバンドやホルダーのずれに関する装着性（使用感）について１〜５の５段階評価による官能試験を行った。また、比較例として、バンドを備えていない温熱具について、実施例１と同様に、１０人の被験者に膝に装着してもらい、これを６時間装着した際のバンドやホルダーのずれに関する装着性（使用感）について１〜５の５段階評価による官能試験を行った。その結果を表１に示す。
【００３５】
なお、評価結果は、「使用中にずれが発生せず、連続して使用するにあたって全く問題がない」と感じる場合を５点、「使用中に僅かにずれが発生するが、連続して使用するにあたって問題ではない」と感じる場合を４点、「使用中にずれが発生し、連続して使用するには少し問題がある」と感じる場合を３点、「使用中に度々ずれが発生し、連続して使用するにはかなり問題がある」と感じる場合を２点、「使用中に頻繁にずれが発生し、連続して使用できない」と感じる場合を１点とし、１０人の平均点が４．５点以上を「◎」、３．５点以上４．５点未満を「○」、３．５点未満を「×」とした。また、使用した温熱具は、全て、ホルダーがポリウレタンで形成された伸縮性のある布地で作製されており、ホルダー２の伸縮性は、上記した試験（図６）により測定した結果で、２倍に伸長させたときの張力が５．５Ｎであった。
【００３６】
表１に示されているように、実施例１、２の温熱具を装着した場合には、比較例の温熱具を装着した場合よりも、装着性に関して高い評価を受けており、特に、実施例１のように２つのバンドがホルダーの軸方向と直交する方向に真っ直ぐ間隔をあけて平行に延びている場合は、かなり高い評価を受けている。以上の結果から、本実施形態の温熱具は、装着時に装着部位からずれにくく、使用感（装着性）を良好にできることが分かる。よって、患部に温熱効果を十分に付与できることが分かる。
【００３７】
【表１】
2016123572.tif 000003
【符号の説明】
【００３８】
１    温熱具
２    ホルダー
３    バンド
４    収納部
【図１】
2016123572.tif 000004
【図２】
2016123572.tif 000005
【図３】
2016123572.tif 000006
【図４】
2016123572.tif 000007
【図５】
2016123572.tif 000008
【図６】
2016123572.tif 000009
【図７】
2016123572.tif 000010
【図８】
2016123572.tif 000011
【図９】
2016123572.tif 000012
【図１０】
2016123572.tif 000013